(57)【要約】【課題】パチンコ島間の各パチンコ台を見廻って歩くことなく、複数のパチンコ台の状況を瞬時に把握できるパチンコ台照明装置を提供する。【解決手段】パチンコ島の上部の幕板部分に設けられてパチンコ台及び遊戯者等を照らす照明装置において、前記照明装置が、各パチンコ台毎に当該パチンコ台の上方に各々配設されており、各パチンコ台毎に発光状況を変更可能な発光手段を有し、当該パチンコ台の状況に応じた色分けによる発光点灯・消灯を行う構成であることを特徴とする。【選択図】  図１
2004154371.tif 000002
【特許請求の範囲】
【請求項１】
パチンコ島の上部の幕板部分に設けられてパチンコ台及び遊戯者等を照らす照明装置において、前記照明装置が、各パチンコ台毎に当該パチンコ台の上方に各々配設されており、各パチンコ台毎に発光状況を変更可能な発光手段を有し、当該パチンコ台の状況に応じた色分けによる発光点灯・消灯を行う構成であることを特徴とするパチンコ台照明装置。
【請求項２】
前記発光手段として、少なくとも３原色の発光ダイオード（ＬＥＤ）が用いられていることを特徴とする請求項１に記載のパチンコ台照明装置。
【請求項３】
パチンコ台状況を管理する制御部からの情報を入力して発光手段の発光状況を変更出力することを特徴とする請求項１又は２に記載のパチンコ台照明装置。
【請求項４】
パチンコ台状況を管理する制御部からの情報を伝達するためのコード及び入力端子を有することを特徴とする請求項３に記載のパチンコ台照明装置。
【請求項５】
前記パチンコ台の状況が、大当たり回数、確変率の設定、出玉状況、ゲーム種別、不正操作発生等のパチンコ台の各種情報の中から選ばれる任意の一つ以上の状況であることを特徴とする請求項１〜４のいずれかに記載のパチンコ台照明装置。
【発明の詳細な説明】
【０００１】
【発明の属する技術分野】
本発明はパチンコ台照明装置に関し、詳しくはパチンコ、パチスロ等のこの種の遊戯具におけるパチンコ島の上部の照明装置に照明以外の判別機能を付加したパチンコ台照明装置に関する。
【０００２】
【従来の技術】
従来、パチンコ台の出玉情報や過去履歴等の各種情報類を表示する表示装置が、各パチンコ台の直上に取り付けられている（特許文献１〜４等参照。）。
【０００３】
表示される情報としては、大当たり回数や確立変動回数といった情報、それらの前日における情報、前々日における情報、更に大当たり回数等についての順位情報等などであり、これらの情報は、機種に応じて、或いは店舗又は遊戯者の設定などをによって変更可能な場合もある。
【０００４】
遊戯者は、パチンコ店を訪れると、パチンコ島間を歩き、空いている各パチンコ台の表示装置に表示された各種情報等を見て廻ることで、出玉状況等を予測し、任意のパチンコ台を選択している。
【０００５】
【特許文献１】
特開平１１−４７３５５号公報
【特許文献２】
特許第２５１４０８２号公報
【特許文献３】
特許第２７３６９８６号公報
【特許文献４】
実用新案登録第３０１４１０５号公報
【０００６】
【発明が解決しようとする課題】
しかし、上記の表示装置では、表示情報が多岐に亘り、各パチンコ台の傍まで近寄らなければ、それらの情報を確認することはできない。
【０００７】
従って、所望のパチンコ台を選択するには、パチンコ島間を歩いて廻り、１台１台確認しながら見廻る必要があった。
【０００８】
尚、全台の状況を一覧表示したパチンコ台状況一覧表示装置も知られているが、システム構成が複雑であり、一瞥して判別・判読することは困難である。
【０００９】
そこで本発明の課題は、パチンコ島間の各パチンコ台を見廻って歩くことなく、複数のパチンコ台の状況を瞬時に把握できるパチンコ台照明装置を提供することにある。
【００１０】
【課題を解決するための手段】
上記本発明の課題は下記構成によって達成される。
【００１１】
１．パチンコ島の上部の幕板部分に設けられてパチンコ台及び遊戯者等を照らす照明装置において、前記照明装置が、各パチンコ台毎に当該パチンコ台の上方に各々配設されており、各パチンコ台毎に発光状況を変更可能な発光手段を有し、当該パチンコ台の状況に応じた色発光点灯・消灯を行う構成であることを特徴とするパチンコ台照明装置。
【００１２】
２．前記発光手段として、少なくとも３原色の発光ダイオード（ＬＥＤ）が用いられていることを特徴とする上記１に記載のパチンコ台照明装置。
【００１３】
３．パチンコ台状況を管理する制御部からの情報を入手して発光手段の発光状況を変更出力することを特徴とする上記１又は２に記載のパチンコ台照明装置。
【００１４】
４．パチンコ台状況を管理する制御部からの情報を伝達するためのコード及び入力端子を有することを特徴とする上記３に記載のパチンコ台照明装置。
【００１５】
５．前記パチンコ台の状況が、大当たり回数、確変率の設定、出玉状況、ゲーム種別、不正操作発生等のパチンコ台の各種情報の中から選ばれる任意の一つ以上の状況であることを特徴とする上記１〜４のいずれかに記載のパチンコ台照明装置。
【００１６】
本発明は、パチンコ島の上部構造物である幕板部分に設けられている照明装置を用い、該照明装置の発光状況によって、該照明装置の照らすパチンコ台の状況を表示する構成とした点が特徴である。
【００１７】
【発明の実施の態様】
以下、本発明の詳細について添付図面に基づき説明する。
【００１８】
図１はパチンコ島の概略正面図、図２は本発明に係るパチンコ台照明装置の概略断面図、図３はパチンコ台状況一覧表示装置である。
【００１９】
図１において、１はパチンコ島であり、該パチンコ島１には複数台のパチンコ台３が横方向に取り付け設置されている。また、パチンコ島１の上部の幕板２にはパチンコ台３や遊戯者等を照らす照明装置２０が設けられている。
【００２０】
各パチンコ台３の上部には、個々のパチンコ台３の各種情報、即ち、大当たり回数や確立変動回数といった情報、それらの前日における情報、前々日における情報、更に大当たり回数等についての順位情報等などが表示される表示装置４が設置されている。尚、この表示装置４は、この位置に限定されず、パチンコ台３に内蔵される等、種々の態様がある。
【００２１】
幕板２に設けられている照明装置２０は、各パチンコ台３毎に当該パチンコ台３の上方に各々配設されており、各パチンコ台３毎に発光状況を変更可能な構成となっている。発光手段としては、図２に示すように、内部に配設した３原色の発光ダイオード（ＬＥＤ）２１・２２・２３を採用することが好ましく、該３原色の組合せ発光によって多数の色（例えば、７色や２４色等の多色）の発光を得ることができる。尚、上記３原色に加え、白色ＬＥＤを加えてもよい。
【００２２】
尚、２４はカバーであり、該カバー２４の材質としては、アクリルやガラス等からなる光透過性の材料であり、発光手段の波長や拡散性に影響を与えず、色認識性の良好な材質で形成されることが好ましい。
【００２３】
３原色の発光ダイオード（ＬＥＤ）２１・２２・２３の配置例としては、例えば、１つの照明装置２０内に、赤・青・緑の３原色を各３０〜１５０個ずつ、計９０〜４５０個の発光ダイオード（ＬＥＤ）を３〜１０ｍｍピッチで並べることが挙げられる。この配置例によれば、照明装置として照度が充分であるばかりでなく、照明装置２０の発光面を略均一に発光させることができる。
【００２４】
多色に発光する発光手段は、各パチンコ台３毎に発光状況を変更可能であり、当該パチンコ台３の状況に応じた色発光点灯・消灯を行うものである。
【００２５】
発光状況の元となるパチンコ台３の状況は、該パチンコ３の状況を管理する制御部（図示せず）から情報を入手するが、前記表示装置４から例えば大当たり情報等の出力を出力コード２５を介して入力すればよい。情報の入手方法としては、例えば、パチンコ台３の各種設定や情報等を管理する基盤から直接又は前記表示装置４の基盤から当該情報部分について分岐配線すればよい。そのため、入力端子２６付きの出力コード２５が本発明に係る照明装置２０に設けられる。
【００２６】
表示装置４を備えたパチンコ台３の場合、表示装置４がパチンコ台３の状況を表示するものであるので、該表示装置４からパチンコ台３の状況のデータを入力する構成とすることが好ましい。
【００２７】
照明装置２０によって表示されるパチンコ台３の状況としては、大当たり回数、確変率の設定、出玉状況、ゲーム種別、不正操作発生等のこの種のパチンコ台３において遊戯者が所望のパチンコ台３を選別する際に参考とするデータ等の各種情報の中から選ばれる任意の一つ以上の状況である。
【００２８】
例えば、大当たり回数の場合は、０は白（例えば、通常の灯り）、１〜５は黄、６〜１０は黄緑、１１〜１５は緑、１６〜２０は水色、２１〜２５は青、２６〜３０回は紫、３１回以上は赤、というように７色の照明によって７段階の大当たりを表示するようにしてもよい。このように大当たり回数を発光状況によって表示することで、遊戯者は、パチンコ島１の端から幕板２の照明装置２０を眺めるだけで、どのパチンコ台３が大当たり回数が多いかを一瞬にして判別することができる。
【００２９】
大当たり回数だけでなく、前記したその他の各種情報についても夫々色を変えて表示することが可能である。例えば、パチンコ台３が通常のパチンコではなくパチスロであった場合は、確率設定を発光状況で表示することもできる。照明装置２０の発光状況により、各スロットメーカーの機種に合わせ確率設定を色を変えて表示することができる。従って、遊戯者はパチンコ台３上部の表示装置４を近くで確認することなく、パチンコ島１の端から一目瞭然の状態で確認することができる。尚、確率設定と色表示の関係は一覧表として、いずれかの場所に表示すればよい。
【００３０】
また、ゴト師等による不正が行われた際には、照明装置２０を消灯させる公正とすることにより、不正が行われているパチンコ台３を従業員だけでなく他の遊戯者にも容易に知らしめることができる。これによって、不正操作が行い難くなるので抑止効果を生じることとなる。
【００３１】
以上、本発明に係るパチンコ台照明装置の実施例について説明したが、本発明は上記に限らず、他の種々の構成を採ることができる。例えば、照明装置２０の発光手段としては発光ダイオード（ＬＥＤ）に限らず、通常の色付き電球や色付き蛍光燈を用いてもよいし、照明装置２０の発光をより目立たせるために、図１及び図２に示したような幕板２の下部部分のみではなく、幕板２全面を照明装置２０としてもよい。
【００３２】
次に、本発明において好ましく採用できるパチンコ台状況一覧表示装置について図３に基き説明する。
【００３３】
パチンコ台状況一覧表示装置は、上記した照明装置２０と同様に、パチンコ台３の状況を発行手段の発光によって遊戯者に知らせるものであり、パチンコ台３の照明装置２０の全パチンコ台分の発光状況を一覧表示している。
【００３４】
全パチンコ台分の発光状況としては、上述の照明装置２０とリンクさせることが好ましいが、照明装置２０とは別の情報を表示させるようにしてもよい。尚、幕板２部分に照明装置２０が設けられていないパチンコ島１の場合には、照明装置２０の代わりにパチンコ台状況一覧表示装置のみでパチンコ台３の状況を表示してもよい。これらの選択は、採用する店舗の状況等によって適宜決定される事項である。
【００３５】
該パチンコ台状況一覧表示装置は、店舗内のパチンコ島１のレイアウトを表示することで、遊戯者が当該店舗のレイアウト及び現在位置を把握できるだけでなく、該パチンコ台状況一覧表示装置を見ることで、全パチンコ台の状況が一目瞭然となるように表示されている。
【００３６】
即ち、上記した照明装置２０と同様に、該パチンコ台状況一覧表示装置の各パチンコ台表示部分も発光しているので、遊戯者が所望する任意のパチンコ台が店舗内の何処にあるかが判別できるのである。
【００３７】
従って、各パチンコ島１間を歩き廻って各パチンコ台３を１台１台確認しながら所望のパチンコ台３を探し回る必要がなくなる。
【００３８】
尚、本明細書において触れなかったパチンコ島１、パチンコ台３及び表示装置４等のその他の構成については、公知公用の構成を有するものとする。
【００３９】
【発明の効果】
本発明によれば、パチンコ島の上部に設けられている幕板の照明装置にパチンコ台の状況を発光表示させる構成であるので、パチンコ島間の各パチンコ台を一台一台見廻って歩くことなく、複数のパチンコ台の状況をパチンコ島の端から瞬時に把握できるパチンコ台照明を提供することができる。
【図面の簡単な説明】
【図１】パチンコ島の概略正面図
【図２】本発明に係るパチンコ台照明装置の概略断面図
【図３】パチンコ台状況一覧表示装置
【符号の説明】
１  パチンコ島
２  幕板
２０  照明装置
２１・２２・２３  ３原色のＬＥＤ
２４  カバー
２５  出力コード
２６  入力端子
３  パチンコ台
４  表示装置
【図１】
2004154371.tif 000003
【図２】
2004154371.tif 000004
【図３】
2004154371.tif 000005